【事件の表示】
　特願２００７−５３８１２３「同時無侵襲的に得られた信号の相関」拒絶査定不服審判事件〔平成１８年　５月　４日国際公開、ＷＯ２００６／０４７３８８、平成２０年　５月２９日国内公表、特表２００８−５１７６６４〕について、次のとおり審決する。
【結　論】
　本件審判の請求は、成り立たない。
【理　由】
第１　手続の経緯 
　本願は，平成１７年１０月２１日（パリ条約に基づく優先権主張　２００４年１０月２３日，米国（ＵＳ），２００５年１０月１９日，米国（ＵＳ））を国際出願日とする出願であって，平成２３年５月１９日付けで拒絶理由が通知され，同年１１月２４日付けで手続補正がなされ，平成２４年９月２８日付けで拒絶査定がなされ，これに対し，平成２５年２月４日に拒絶査定不服審判の請求がなされるとともに，同日付けにて手続補正（以下，「本件補正」という。）がなされたものである。
　
第２　本件補正についての補正の却下の決定　
［補正の却下の決定の結論］　
　本件補正を却下する。　
　 
［理由］　
１　補正後の本願発明　
　本件補正により，補正前の特許請求の範囲の請求項１は，
　
「　【請求項１】
　
生体組織
バイオメトリック特性
　
光学プローブ
　前記
光学プローブ
生体組織
照射
　参照放射線を生成するステップと，
　前記後方散乱放射線および前記参照放射線を結合することによって干渉信号を生成するステップと，
　前記干渉信号を検出器によって検出するステップと，
　電子的処理によって，前記検出された干渉信号から
情報
情報
生体組織
よりも速い
　前記引き出された
情報
　前記相関により得られたデータを処理することによって前記
生体組織
バイオメトリック特性
を有していることを特徴とする方法。」
と補正された。（下線は補正箇所を示す。）　
　
２　補正の適否（補正の目的）
（１）補正の目的
　本件補正は，補正前の請求項１に記載された発明の
「　電子的処理によって，前記検出された干渉信号から同時情報を引き出すステップであり，前記同時情報は，前記目標対象物におけるモーション・アーチファクトに対して複数の深度から同時に，又は，高速度で取得される，ステップ」を
「　電子的処理によって，前記検出された干渉信号から
情報
情報
生体組織
よりも速い
情報
生体組織
よりも速い
と「取得される」ものについて「複数の深度から」との修飾語を省いたものであり，特許請求の範囲を拡張するものであるから，特許請求の範囲の減縮を目的とするものではない。
　また，誤記の訂正，明りょうでない記載の釈明を目的とするものでもない。
　したがって，本件補正は，平成１８年法律第５５号改正附則第３条第１項によりなお従前の例によるとされる同法による改正前（以下，「平成１８年法改正前」という。）の特許法第１７条の２第４項の規定に違反するので，同法第１５９条第１項において読み替えて準用する同法第５３条第１項の規定により却下すべきものである。 
　
第３　本願発明について　
１　本願発明　
　本件補正は，上記のとおり却下されることとなるので，本願の請求項１〜４２に係る発明は，平成２３年１１月２４日付け手続補正書により補正された特許請求の範囲の請求項１〜４２に記載された事項により特定されたものであって，その請求項１に係る発明は，次のとおりであると認める。　
「　【請求項１】
　目標対象物の属性を決定するための方法であって，
　探査放射線を生成するステップと，
　前記探査放射線の少なくとも一部を，前記目標対象物に適用することによって後方散乱放射線を生成するステップと，
　参照放射線を生成するステップと，
　前記後方散乱放射線および前記参照放射線を結合することによって干渉信号を生成するステップと，
　前記干渉信号を検出器によって検出するステップと，
　電子的処理によって，前記検出された干渉信号から同時情報を引き出すステップであり，前記同時情報は，前記目標対象物におけるモーション・アーチファクトに対して複数の深度から同時に，又は，高速度で取得される，ステップと，
　前記引き出された同時情報をメモリ内に記憶されたデータバンクからのデータと相関させるステップと，
　前記相関により得られたデータを処理することによって前記目標対象物の属性を決定するステップと，
を有していることを特徴とする方法。」（以下，「本願発明」という。）
　
２　引用刊行物およびその記載事項（下線は当審で付与した。）
（１）本願優先日前に頒布され，原査定の拒絶の理由に引用された刊行物である特表平９−５１２７２２号公報（以下「刊行物１」という。）には，「生物学的試料に含まれるグルコースの分析のための方法および装置」について，図面とともに次の事項が記載されている。 
（１−ア）「【特許請求の範囲】
１．光源からの測定光が前記試料内に照射されるために１次側測定光路に沿って導かれ，前記測定光が試料内部の測定光路に沿って進み，生物学的な試料と光との相互作用によって変化することができ，生物学的マトリクス中のグルコース濃度と相互に関係する光の物理学的特性を決定するために，検知している光検知器の測定光路に沿って該試料から現れる光が案内される検知工程，および　
　前記グルコース濃度が少なくとも１つの検知工程において決定された前記光の物理学的特性から決定される評価工程　
　からなる生物学的な試料中のグルコースの濃度を分析的に決定するための方法であって，　
　前記光源によって発せられた光の一部が前記光検知の定義された光学的な長さの参照光路に沿って導かれ，前記１次側測定光路，試料の光路および２次側測定光路からなる総測定光路が定義された光学経路の長さを有し，　
　前記２次測定光経路および参照光路が，該２次光と参照光とがたがいに干渉し，これによって前記光検知器が干渉信号を検知するように該光検知器の前で結合され，および，　
　前記グルコース濃度を決定するために前記評価工程において干渉信号が用いられる　
　ことを特徴とする方法。
・・・
４．前記光路の少なくとも１つの光路が可変であり，複数の異なる長さに設定されてなることを特徴とする請求の範囲第１項，第２項または第３項記載の方法。
５．前記参照光路の光路の長さが可変であり，複数の長さに設定されてなることを特徴とする請求の範囲第５項記載の方法。
６．前記光路の長さが振動するように変化されてなることを特徴とする請求の範囲第４項または第５項記載の方法。
７．前記光路の長さが反射する光学的要素を移動することによって変化されてなることを特徴とする請求の範囲第５項または第６項記載の方法。
８．前記光源が５０μｍ未満，好ましくは１０μｍ未満の短いコヒーレンス長の光を発することを特徴とする請求の範囲第１項，第２項，第３項，第４項，第５項，第６項または第７項記載の方法。
９．前記１次側測定光路および２次側測定光路が試料の境界表面によって定義された同一の１／２の空間内に伸び，それによって前記試料によって反射された光が前記２次側測定光路に入ることを特徴とする請求の範囲第８項記載の方法。
10．前記１次側測定光路および２次側測定光路が一致し，
光カップラーが前記１次側試料光路と参照光路とを分割するため，および前記２次側測定光路と参照光路とを結合するために用いられてなることを特徴とする請求の範囲第９項記載の方法。」
　
（１−イ）「【発明の詳細な説明】
　生物学的試料に含まれるグルコースの分析の
ための方法および装置
　本発明は生物学的試料に含まれるグルコースの分析のための方法およびその測定装置に関するものである。
・・・
　本発明は，比較的強く散乱した，すなわち，光学的に不均質な生物試料の分析に適している。しかしながら，本発明は適当な実施態様であれば，光学的に均質な（すなわち，散乱の少ない，あるいは実際上散乱のない）試料を分析することも可能であり，それを拒むものではない。」（７頁１〜１６行）
　
（１−ウ）「　本発明の課題は，試薬を使わず，体内に入れずに操作でき，しかも，たとえば分析対象物の濃度変化を充分に
長い期間をかけて観察するばあい（経過コントロールのばあい）に，良好な分析精度の発揮できる生物試料内グルコース用分析測定法を提供することにある。
　この課題は前記説明の意味で少なくとも一検出過程および一評価過程を含む方法において，送光器から発する光の一部を一定の光学経路を有する参照光路上で受光器に導くこと，１次側測定光路，試料光路および２次側測定光路からなる総測定光路に一定の光学経路を持たせること，２次側試料光路と参照光路を受光器に入る前に２次光と参照光が互いに干渉し合うように合一させることで解消する。ただし，受光器は干渉信号を測定し，干渉信号は評価過程においてグルコース濃度の測定に用いられる。
　本発明はまた，生物試料中のグルコース濃度の分析測定用装置をも対象とする。当装置は測定光製出用送光器，測定光が試料界面を通って生物試料に入射しうるよう光孔を持った光線入射部品，送光器と界面を結び付ける一次側測定光路，試料との界面における相互作用ののち試料から出る測定光のための吸光材および測定光が試料から出る界面と受光器とを結びつける２次側試料光路を有している。当分析測定用装置は送光器と受光器が一定の光学経路を持った参照光路を通じて互いに結合し合っていて，２次側試料光路には２次側測定光路と参照光路が受光器の同一場所で会して干渉信号を生み出すよう，両者を合一させるための光学カップラーが設置されていることを特徴としている。
　本発明の本質的要素は，測定光と試料を通らない一定の光路上を通る参照光線との干渉からグルコースの分析
にとって重要な情報がえられるという認識にある。本発明の意味での干渉信号を製出するためには，下記の基本的な測定技術条件に注意しなければならない。
　干渉の前提条件として対象の部分光線は干渉性でなければならない。本発明のとくに重要な実施態様には，干渉長の短い光がとくに好ましい。そのばあいの送光器としては，とくに発光ダイオードあるいはスーパールミネセンスダイオードを使用する。
　測定光と参照光は同じ送光器から発し，同じ受光器（検出器）で検出される。
干渉調整装置には，送光器から発した光を参照光線と測定光線とに分け，また受光器の前で再び合一化するために光学カップラーが使用される。
　総測定光路（送光器から試料界面にいたるまでの１次側測定光，当測定光を出発点として試料内を進む試料光路および測定光が出てくる試料表面から受光器にいたるまでの２次側測定光路からなっている）と参照光路は常にそれぞれ定義づけされた一定の光学経路を有していなければならない。ここで言う「定義づけされた光学経路」は，干渉現象を測定技術的に把握し，評価するための前提となるものである。干渉信号の検出には，互いに干渉し合う２つの部分光線が検出箇所（受光器の感光表面）で干渉することが条件となる。それゆえ，受光器に到る道程では干渉が維持されたままになるように両光路を設定しなければならない。そのためには送光器と受光器のあいだで光子の進んだそれぞれの距離が，光路上での干渉が消えて測定技術を損なうというまでにいたらない程度に等しくなければならない。「（干渉測定上）定義づけされた光学的経路」の概念はこのように理解する。
・・・
  
本発明の干渉信号とは、測定光と参照光が光学的に干渉し合うことに基因して、受光器によって製出される電気信号またはその信号成分である。
　
（１−エ）「　干渉信号は評価段階においてグルコース濃度を求めるにあたり，様々な方法で利用することができるが，とくに以下に説明する３つの方法が好ましい。なお，詳細は図の解説の際に主要実施態様を例示して説明する。
　それらの方法のうち最初のものは，発明者の現在の認識によるともっとも見込みのありそうな方法であるが，その方法では生物学的試料（マトリクスともいわれる）内での光子の光学路が分析上利用できる程度にグルコース濃度に影響されるということを前提としている。干渉測定法の利用により，試料内の光の群速度，換言すれば，試料の屈折率に相当する測定量を高い精度で測定することが可能である。これがどのようにして実施できるかは，のちに図を基に掘り下げて説明する。
　第２の方法では生物試料内の散乱粒子における横断面の変化を対応の測定量で把握する。この目的には，試料からの反射光が２次側測定光路に入るような仕組みになっている反射装置を使用する。幾何学的に表せば１次側測定光路と２次側測定光路が試料界面で区切られた同一の半空間に位置している。そのばあい，反射／干渉測定の面から言えば，通常同一の光学的構成要素が１次側測定光路および２次側測定光路を形成している。すなわち，試料から同一測定光路に戻る光が把握されることになる。この方法ではそのほか干渉長の短い送光器を使用することが必要である。散乱横断面に対応した，グルコース濃度の特徴的測定量を求めるには，試料光路の経路と参照光路の経路との比率を別な値に設定する。これは試料光路の長さおよび（または）参照光路の長さを変更することによって行えるが，参照光路の変更の方が構造的に容易であり，好ましい。光学経路の相互関係は，干渉信号が試料の別な深度での反射に対応するように設定する。そのばあい，グルコースの濃度は光学経路の相互関係（すなわち，測定光の反射した試料の深度）に対する干渉信号の依存性から求める。
　第３の方法では先に説明した分光測定法のばあいと同じように，測定量として光学吸収の波長依存性を求める。試料内の光学経路を測定するために，発明の範囲内で干渉信号の情報内容を利用する。それにより，従来法では，なかんずく試料内の光路の長さの不確かなことから発生していた測定ミスが避けられる。」（１３頁２０〜１４頁２０行）
　
（１−オ）「　図１は本発明にもとづく短干渉性反射干渉測定器１（short coherence reflection inter-ferometer，以下，“SCRI”とも表示する）の原理構造を示している。この測定器には送光腕３，試料腕４，参照腕５および検出腕６が装備されていて，それぞれが光カップラー７を通じて互いに連結している。
　図示した代表的な実施態様では，干渉測定器１は光ファイバーで構成されている。すなわち，干渉測定機の光路は単式光伝導ファイバー（single mode optical fibers）で構成されており，光カップラーも光ファイバー製である。
　
半導体送光装置１０（好ましくはスーパールミネセンスダイオード）から発する干渉長の短い（それに対応して帯域幅の広い）測定光は光カップラー７の入口に達する。さらに測定光は試料腕４を通って各部構成要素をもつ入射装置１１に導かれる。入射装置１１には測定ヘッド１３および光孔１２があって，測定光はこの光孔を通って試料１４に入射する。数字１５で示した面は光が試料に入り込む界面である
　主要適用例における試料は人間の皮膚組織であるが，とくに指先の内側，上腹の表層部，唇，舌，上腕内側の皮膚組織あるいは強膜組織である。これらの組織表面が界面１５を形成する。生物学的試料が透光性容器（セル）に入った液体（とくに血液）であるばあいは，液体と液体で濡れた容器内壁との界面を生物試料の界面と見なす。以下では試料のことをいうばあい，共通性は別として皮膚組織を指すものとする。
　
試料内試料光路１６に入った測定光は，記号で表示した散乱の中心１７から測定ヘッド１３の方向へ反射する。そのばあい測定ヘッド１３に設けられた光孔１２に射し込んだ光は試料腕４を通って光カップラー７に戻る。
　光カップラー７の出口側には参照腕５も接続していて，光源１０から光カップラー７へ入り込んだ光エネルギー成分は全体を１９で表した反射装置に到達する。反射装置には光学軸の方向に動かすことのできる反射器２０（ミラー）があって，そこに当たった光は逆方向に反射するようになっている。反射器２０は光学軸の方向に動かせるが，本例ではそのために駆動装置２１を用いている。
　
試料１４や反射器２０に当たって反射した光は光カップラー７で合流して検出器６を通って受光器２３に達する。測定光と参照光が同時に同一空間構成要素内（たとえば検出器表面）にあると，それにより当該空間においては可干渉性の条件が満たされる。検出器６を通る両光線が１次的にでも可干渉性であれば干渉が起きる
　測定光が試料１４に入射するルートとしての１次側測定光路２２は，図１の実施態様のばあい送光腕３および試料腕４からなるが，一方２次側測定光路は試料腕４および検出器の腕６からなっている。２６で表される参照光路は全体として送光腕３，参照腕５および検出器の腕６で構成されている。したがって，例示した実施態様のばあい，１次側測定光路２２と２次側測定光路２４は部分的に（すなわち，光カップラー７と界面１５間が）一致しているので，両光路は光学的に同じ構成成分中を通過することになる。
　干渉を本発明の意味において測定技術上利用するためには，１次側測定光路２２，試料光路１６および２次側測定光路２４によって形成される総測定光路および参照光路２６がそれぞれ（干渉分析上）定義づけされた長さを有していることが前提条件である。送光器１０が短い
以下，とくに好ましくは１０μｍ以下）を有するという好ましい状況をえるには，干渉条件としてさらに総測定光路と参照光路の光学経路が同じ長さであることが必要である。そうでないと，光の成分に必要な一時的干渉性が生まれない。紹介した実施例で言えば，光カップラー７から試料腕４を通って反射性散乱の中心７に到る光学
経路と光カップラーから参照腕５を通って反射器２０に到る光学路の長さが同じでなければならない。送光器１０の干渉長によって定義づけされた限界内でこの条件が満たされたばあいしか受光器２３は干渉信号の測定をすることができない。
　干渉信号の選択的検出には，紹介した例のばあいではＰＺＴ２７を備え付けている。それによって，測定光だけあるいは参照光だけを通す部分光路のいずれか１つ（本例では試料腕４）の光学経路が変調される。ＰＺＴ２７，送光器１０および反射器２０の駆動装置２１は電子調整，測定器２９によって制御されている。この調整，測定器は受光器２３の出力信号にも関わっている。調整，測定器２９のスイッチを入れると受光器２３にＰＺＴの変調周波数に対応した電気出力信号成分だけが狭い帯域で検出される。これを可能にする電子測定法，たとえばロックイン（lock in）法はよく知られており，ここで詳しく説明するまでもない。」（１５頁１３〜１７頁１８行）
　
（１−カ）「　図４〜８をもとに，以下に詳しく説明する本発明の代表的実施態様における生物学的試料には眼の前眼房にある房水も含まれる。測定は主に前眼房だけに絞られるが，しかし眼のその他の部分（底部）も測定の対象にすることが可能である。
　
眼の前眼房のグルコース濃度をグルコース濃度に依存する房水の光学特性に基づいて測定するという可能性については，すでにずっと以前から論じられている。
・・・
　測定システムの原理は図４に表したとおりである。１次側測定光路２２は測定光が前方から眼５６の前眼房５４へ（幾何学的に言えば角膜５２表面の垂線に対して鋭角に）入射するよう構成されている。眼のとくに水晶体５８の表面５７で反射した光は，角膜５２をまたほとんど垂直に（より正確にいえば角膜５２表面の垂線に対して鋭角に）通過し，２次測定光路２４に入り込む。
　叙上のとおり，この実施態様にはとくに図１の基本的特徴をもった短コヒーレンス性反射干渉分析測定器が用いられる。そのときに述べたように，１次側測定光路２２と２次側測定光路２４が試料に通じる試料腕４で合流している（すなわち，試料腕４は両測定光路に共通である）のがとくに好ましい。本例に戻れば，眼５６の前の光路部分は試料腕４の拡張光線４ａで構成するのが目的にかなっている。
図４の反射測定では試料光路１６は入射部分５９から前眼房５４中の房水６２を通って反射部分６０にまで入り，さらに逆方向に光線の出口６１へと進む。界面１５は眼球に面した角膜５２内表面５２ａが構成する。１次側測定光路２２と２次側測定光路２４に共通な試料腕４をもつ前記の実施態様では，光の入口５９と出口６１が角膜５２の同一箇所にある。
　図５に表した実験模型は，測定主要周辺条件が人間の眼に一致するように構成されている。それによるばあい，測定光をたとえば直径５０μｍとしてＳＣＲＩの試料腕４から前眼房５４に準えたセル６４に入射させる。入射界面１５はセル容器前部６５の内表面が構成し，一方反射箇所６０はセル容器後部６６の内表面にある。実際の試験ではセル容器の厚さｋは１ｍｍとした。それによりは２ｍｍとなる。人間の眼では前眼房の厚さは約３ｍｍで，試料光路の全長は６ｍｍとなる。その点では図５の模型による実験は厳しい条件であった。」（２４頁１７〜２６頁１２行）
　
（１−キ）「　
図６の干渉グラフ
　ＳＣＲＩの測定構造は本質的には図１に一致している。光源としては工率０．５ｍＷ，中心波長８５０ｍμのスーパールミネセンスダイオードを使用した。超石英ガラスからなるセル６４に水性グルコース溶液を満たした。グルコース濃度は毎回１００ｍＭから始め，測定毎に半減していき最終的には１．５６ｍＭとした。セル内の温度は２２℃±１℃に保った。反射器２０としては約７．９ｍｍ／秒の速度で発振可動する角立方体型反射器（corner cube reflector）を用いた。発振可動型反射器２０の使用によって同時に深部走査（depth scan）および光学経路の変調が可能であることについては，すでに図１との関係で説明した。そのときに指摘した反射器２０の欠点，すなわち比較的迅速な可動性は，眼での測定のばあい総走査深度（前眼房の厚さ）が比較的小さいためあまり大きくは現れない。
　干渉グラフの評価には測定データー加工プログラム（data acquisition software）を使用した。これによれば総深度走査内で主要反射の周囲に−ただし，セル容器前部の裏面６５とセル容器後部の前面６６に−２つの部分域（「窓」）を設定することが可能である。図５ではこれらの
反射点はＡおよびＢで示されている。これらは本当の眼の入口部分５９（角膜と房水との界面）と反射部分６０（房水と水晶体との界面）に相当する。
　図５の実験模型ではこれら両最強反射部分間の距離は１ｍｍである。それに対応して
図６に描かれた深度走査（任意のゼロ点をもつ目盛）の両窓には約１５０μｍおよび約１１５０μｍのところで，つまり１０００μｍの距離で干渉グラフが現れる。
　
図６の干渉グラフから反射点Ａ，Ｂ間の光の光学経路に関する情報がつぎのようにして測定できる。　
　図６の干渉グラフをデジタル化し，デジタル信号（DSP（digital signal processing）装置によりファーストフーリエ変換（FFT（fast fourier transformation））にかける。変換結果の変調は実施できず，位相結果だけが再処理される。
文献ダフリュ　エル　ダニエルスン（W.L．Danielson）他著「低干渉性干渉分析測定による絶対光学的距離（Absolute optical ranging using low coherence inter-ferometry）」，Ａｐｐｌ．Ｏｐｔ．３０巻，２９７５ページ（１９９１年）によると，いわゆる位相勾配（phase slope）（位相の周波数に対する関数性依存度）から屈折率ｎと幾何学的経路の積である光学経路の値が正確に求められる。」（２６頁１３〜２７頁２０行）
　
（１−ク）「　図７は，図６の
両干渉グラフからの位相のＦＦＴ処理結果（単位ラド）を，横座標に取った周波数（単位ｋＨｚ）の関数で描いている。この直線の勾配は位相勾配ＰＳに相当する。
屈折率は次式に基づき，反射点ＡおよびＢにおける両ＰＳ値の位相勾配の差（DPS）から直接求められる。
　（１）　ｎ＝ｖ／π・ｌg・ＤＰＳ
　ここで，ｖは反射器の動きの速度，ｌｇは幾何学的総経路（Ａ，Ｂ間の往復距離）を表している。このようにしてグルコース濃度の尺度としての試料内屈折率ｎを求めることができる。このばあい光から求めねばならない測定量（すなわちグルコース濃度と相関関係にある定量可能な光のパラメーター）はＤＰＳ値である。
種々のグルコース濃度について測定したＤＰＳ値とグルコース濃度との相関関係を図８に両対数目盛で表した。
ＤＰＳを縦軸に，濃度Ｃを横軸に取った。
　直線はｍＭグルコース当たり２．０５５×１０−５ｒａｄ／Ｈｚのグルコース濃度変化ごとに現れるＤＰＳ値変化に相当する。これより，式（１）にもとづきｍＭグルコース当たり２．５８×１０−５ｒａｄ／Ｈｚのグルコース濃度変化毎に現れる屈折率変化が算出できる。この値は従来法による測定値と高い精度で一致している。皮膚表面における測定のばあい，測定ヘッド（図１）を皮膚に対して均等に圧し付けることによって１次側測定光路と２次側測定光路をほぼ一定の長さに保つことができる。眼のばあいこれは不快な感じを与えるので，測定光をＳＣＲＩから眼に入射する装置を眼からできるだけ一定距離に固定する。この距離の確保は，眼の治療でこの目的に常用される器具，たとえば適当な顔面マスク（ヨーロッパ特許出願公開第０　６０３　６５８号公報参照）によって達成されはするが，大きなぶれが避け難く，ほかに処置を加えなくてはグルコース分析に利用できるような干渉グラフはえられない。
　それゆえ，前述のように
，眼の２つの反射光線から干渉グラフを測定する。そのばあい，第１の反射部分は前眼房の前（眼球とは反対の側）にあり，第２の反射部分は前眼房の後ろ（眼球に面した側）に位置している。
　反射箇所が眼の奥深くに，とくに網膜表面に位置することも原則として可能である。
　上記の結果からわかるように，屈折率およびまた
眼の前眼房房水のグルコース濃度は干渉グラフから高い精度で測定可能である
　
【図１】
【図４】
　上記（１−ア）〜（１−ク）の記載と第１〜１１図を参照すると、上記刊行物１には、 次の発明が記載されていると認められる。
「短干渉性反射干渉測定器１において
  半導体送光装置１０から発する干渉長の短い測定光は光カップラー７の入口に達し、さらに測定光は試料腕４を通って各部構成要素をもつ入射装置１１に導かれ、入射装置１１には測定ヘッド１３および光孔１２があって、測定光はこの光孔を通って試料１４に入射し、試料の界面１５に入り込み、
  さらに試料内試料光路１６に入った測定光は、散乱の中心１７から測定ヘッド１３の方向へ反射し、そのばあい測定ヘッド１３に設けられた光孔１２に射し込んだ光は試料腕４を通って光カップラー７に戻り、
  光カップラー７の出口側には参照腕５も接続していて、光源１０から光カップラー７へ入り込んだ光エネルギー成分は全体を１９で表した反射装置に到達し、反射装置には光学軸の方向に動かすことのできる反射器２０があって、そこに当たった光は逆方向に反射するようになっており、反射器２０は光学軸の方向に動かせるが、そのために駆動装置２１が用いられ、
  試料１４や反射器２０に当たって反射した光は光カップラー７で合流して検出器６を通って受光器２３に達し、測定光と参照光が同時に同一空間構成要素内にあると、それにより当該空間においては可干渉性の条件が満たされ、検出器６を通る両光線が１次的にでも可干渉性であれば干渉が起き、
　測定光と参照光が光学的に干渉し合うことに基因して、受光器によって電気信号またはその信号成分である干渉信号が製出され、
　試料のグルコース分析濃度の測定は、試料を眼とし、眼の前眼房のグルコース濃度をグルコース濃度に依存する房水の光学特性に基づいて測定することによりなされ、
　界面１５は眼球に面した角膜５２内表面５２ａが構成し、試料光路１６は眼の前眼房の入射部分５９から前眼房５４中の房水６２を通って反射部分６０にまで入り、さらに逆方向に光線の出口６１へと進む光路であり、
　２つの反射点である眼の前眼房の入口部分５９（角膜と房水との界面）と反射部分６０（房水と水晶体との界面）における反射光の、それぞれの干渉グラフからの位相のＦＦＴ処理結果（単位ラド）を、横座標に取った周波数（単位ｋＨｚ）の関数で描き、この直線の勾配は位相勾配ＰＳに相当し、屈折率は上記入口部分５９と反射部分６０における両ＰＳ値の位相勾配の差（DPS）から直接求められ、
　種々のグルコース濃度について測定したＤＰＳ値とグルコース濃度との相関関係図から前眼房のグルコース分析濃度を測定する方法。」
（以下，「引用発明」という。）
　
（２）本願優先日前に頒布された刊行物である特開平１０−２６７６１０号公報（以下「刊行物２」という。）には，「光学測定装置」について，図面とともに次の事項が記載されている。 
（２−ア）「【０００８】
【発明が解決しようとする課題】上述した説明から明らかなように，ＯＣＴ用光学測定装置（以下，単に，光学測定装置と表記する）の空間分解能は，基本的には，測定に用いられる光のコヒーレント長で定まる。このため，超音波測定技術（一般的な測定条件である１０ＭＨｚ測定時の空間分解能：約１５０μｍ），レーザ走査顕微鏡技術（眼底部分測定時の空間分解能：約２００μｍ）等の他の測定技術に比して，高い空間分解能での測定が可能となっている。」
　
（２−イ）「【００７０】＜第５実施形態＞第５実施形態の光学測定装置は，
参照面からの距離の異なる複数の測定点の測定が同時に行える
　
（３）本願優先日前に頒布された刊行物である特開平９−２９９３３３号公報（以下「刊行物３」という。）には，「グルコース濃度測定方法および装置」について，図面とともに次の事項が記載されている。 
（３−ア）「【０００１】
【発明の属する技術分野】本発明は生体におけるグルコース濃度の測定方法および装置に関し，詳細には眼球部の前眼房水内におけるグルコース濃度を非侵襲的に測定する方法および装置，並びにこの前眼房水内におけるグルコース濃度に基づいて血中グルコース濃度を非侵襲的に測定する方法および装置に関するものである。」
　
（３−イ）「【００８５】図５は，本発明の第２の
グルコース濃度測定方法を実施するための具体的な一形態
・・・
【００８７】さらに図１に示した構成の光ヘテロダイン測定手段20を，ビームスプリッタ23，光路分割手段としてのおよび波面整合手段としての反射板26と，光検出器28と，干渉光の強度に基づいて後方散乱光の強度を求めるヘテロダイン演算手段29′とを備えた構成としたものである。
【００８８】
周波数掃引手段13により周波数掃引されて光源装置10′から出射したレーザー光はビームスプリッタ23を透過して眼球部100 に入射せしめられ，一方，反射板26は，眼球100 に照射されたレーザー光の各反射面で反射された後方散乱光と，この後方散乱光よりも時間的に遅れて光源装置10′から出射されたレーザー光であって後方散乱光に対して僅かな周波数差を有しその反射面26a において反射した光（参照光）とを波面整合して干渉光を生じせしめる作用を果たす
【００８９】またヘテロダイン演算手段29′は，反射板26により波面整合された後方散乱光とこの後方散乱光より遅れて光源装置10′から出射され，後方散乱光と同時に反射板26に到達して反射したレーザー光（参照光）との干渉光の，光検出器28により検出された強度に基づいて，光ヘテロダイン後方散乱測定法により後方散乱光の強度を求める作用をなすものである。」
　
（４）本願優先日前に頒布された刊行物である「吉村　武晃，光周波数変調干渉法による断層画像の測定，応用物理学会学術講演会講演予稿集１９９７秋，日本，（社）応用物理学会，１９９７年１０月２日，Ｎｏ．０，第４頁」（以下「刊行物４」という。）には，図面とともに次の事項が記載されている。
（４−ア）「　反射型測定法で生体内部の断層像を得るには，物体内のいろいろな深さからの反射光の発生位置を特定する必要がある。その方法にはコヒーレンス・ゲートを利用する低コヒーレンス干渉法と，
あるビート周波数成分を検出する光周波数変調干渉とがある。
特長は，スキャンシステムが不要であり，一度に物体内部の３次元情報が得られる可能性があることである。
　
３　対比・判断 
　本願発明と引用発明とを対比する。
　
ア　引用発明の「試料１４」となる「眼」及び「グルコース濃度」が、それぞれ、本願発明の「目標対象物」及び「属性」に相当するから、引用発明の「眼の前眼房のグルコース濃度」を「測定する方法」が、本願発明の「目標対象物の属性を決定するための方法」に相当する。
　
イ　引用発明の「干渉長の短い測定光」が本願発明の「探査放射線」に相当するから、引用発明の「半導体送光装置１０から」「干渉長の短い測定光」を「発する」こと（ステップ）が，本願発明の「探査放射線を生成するステップ」に相当する。
　
ウ　引用発明においては、試料である眼の「前眼房の入口部分５９（角膜と房水との界面）」と「反射部分６０（房水と水晶体との界面）」の両者が測定光の「散乱の中心１７」となり、当該引用発明の「前眼房の入口部分５９」と「反射部分６０」において「反射（散乱）」した光が、本願発明の「後方散乱放射線」に相当するから、引用発明の「さらに試料内試料光路１６に入った測定光は、散乱の中心１７」である「前眼房の入口部分５９（角膜と房水との界面）と反射部分６０（房水と水晶体との界面）」「から測定ヘッド１３の方向へ反射」すること（ステップ）が、本願発明の「前記探査放射線の少なくとも一部を、前記目標対象物に適用することによって後方散乱放射線を生成するステップ」に相当する。
　
エ　引用発明の「参照腕５」に沿って「反射器２０」から「反射」してきた光が本願発明の「参照放射線」に相当し、引用発明の「光カップラー７の出口側には参照腕５も接続していて、光源１０から光カップラー７へ入り込んだ光エネルギー成分は全体を１９で表した反射装置に到達し、反射装置には光学軸の方向に動かすことのできる反射器２０があって、そこに当たった光は逆方向に反射する」こと（ステップ）が、本願発明の「参照放射線を生成するステップ」に相当する。
　
オ　引用発明の「試料１４や反射器２０に当たって反射した光は光カップラー７で合流して検出器６を通って受光器２３に達し、測定光と参照光が同時に同一空間構成要素内にあると、それにより当該空間においては可干渉性の条件が満たされ、検出器６を通る両光線が１次的にでも可干渉性であれば干渉が起き」、「測定光と参照光が光学的に干渉し合うことに基因して、受光器によって電気信号またはその信号成分である干渉信号が製出され」ること（ステップ）が、本願発明の「前記後方散乱放射線および前記参照放射線を結合することによって干渉信号を生成するステップ」に相当する。
　
カ　引用発明の「受光器によって電気信号またはその信号成分である干渉信号が製出され」ること（ステップ）が、本願発明の「前記干渉信号を検出器によって検出するステップ」に相当する。
　
キ　引用発明の「上記入口部分５９と反射部分６０における両ＰＳ値の位相勾配の差（DPS）」が本願発明の「電子的処理によって、前記検出された干渉信号から」引き出した「情報」に相当し、引用発明の「反射光」を得る「２つの反射点である眼の前眼房の入口部分５９（角膜と房水との界面）と反射部分６０（房水と水晶体との界面）」が、「目標対象物における」「情報を引き出す」ための「複数の深度」に相当するといえるから、引用発明の「２つの反射点である眼の前眼房の入口部分５９（角膜と房水との界面）と反射部分６０（房水と水晶体との界面）における反射光の、それぞれの干渉グラフからの位相のＦＦＴ処理結果（単位ラド）を、横座標に取った周波数（単位ｋＨｚ）の関数で描き」、「この直線の勾配」から「位相勾配ＰＳ」を得て「屈折率は上記入口部分５９と反射部分６０における両ＰＳ値の位相勾配の差（DPS）」を得ること（ステップ）と、本願発明の「電子的処理によって、前記検出された干渉信号から同時情報を引き出すステップであり、前記同時情報は、前記目標対象物におけるモーション・アーチファクトに対して複数の深度から同時に、又は、高速度で取得される、ステップ」とは、「電子的処理によって、前記検出された干渉信号から情報を引き出すステップであり、前記情報は、前記目標対象物における複数の深度から取得される、ステップ」である点で共通する。
　
ク　引用発明の「種々のグルコース濃度について測定したＤＰＳ値とグルコース濃度との相関関係図」に含まれるデータが、本願発明の「データバンクからのデータ」に相当するから、引用発明の「２つの反射点である眼の前眼房の入口部分５９（角膜と房水との界面）と反射部分６０（房水と水晶体との界面）における反射光の、それぞれの干渉グラフからの位相のＦＦＴ処理結果（単位ラド）を、横座標に取った周波数（単位ｋＨｚ）の関数で描き、この直線の勾配は位相勾配ＰＳに相当し、屈折率は上記入口部分５９と反射部分６０における両ＰＳ値の位相勾配の差（DPS）から直接求められ」、「種々のグルコース濃度について測定したＤＰＳ値とグルコース濃度との相関関係図から前眼房のグルコース分析濃度を測定する」こと（ステップ）と、本願発明の「前記引き出された同時情報をメモリ内に記憶されたデータバンクからのデータと相関させるステップと、前記相関により得られたデータを処理することによって前記目標対象物の属性を決定するステップ」とは、「前記引き出された情報をデータバンクからのデータと相関させるステップと、前記相関により得られたデータを処理することによって前記目標対象物の属性を決定するステップ」である点で共通する。
　
　そうすると，両者は，　
（一致点）　
　「目標対象物の属性を決定するための方法であって、
　探査放射線を生成するステップと、
　前記探査放射線の少なくとも一部を、前記目標対象物に適用することによって後方散乱放射線を生成するステップと、
　参照放射線を生成するステップと、
　前記後方散乱放射線および前記参照放射線を結合することによって干渉信号を生成するステップと、
　前記干渉信号を検出器によって検出するステップと、
　電子的処理によって、前記検出された干渉信号から情報を引き出すステップであり、前記情報は、前記目標対象物における複数の深度から取得される、ステップと、
　前記引き出された情報をデータバンクからのデータと相関させるステップと、
　前記相関により得られたデータを処理することによって前記目標対象物の属性を決定するステップと、
を有していることを特徴とする方法。」
である点で一致し，以下の点で相違するといえる。　
　
（相違点１）　
　「複数の深度から取得される」「情報」について，本願発明では，「目標対象物におけるモーション・アーチファクトに対して」「同時に，又は，高速度で取得される」「同時情報」であるのに対して，引用発明では，そのような構成を有するか不明である点。
　
（相違点２）　
　目標対象物の属性（引用発明においては「眼のグルコース濃度」）を決定するためのデータバンク（引用発明においては「種々のグルコース濃度について測定したＤＰＳ値とグルコース濃度との相関関係図」）が、本願発明においては「メモリに記憶されている」のに対して、引用発明においてはその点が明確でない点。
　
（１）相違点１についての検討
　刊行物２の摘記事項（２−イ）には「【００７０】・・・参照面からの距離の異なる複数の測定点の測定が同時に行える」と，複数の深度から取得される情報を同時に取得する周知技術が記載されている。
　また，刊行物３の摘記事項（３−イ）には「【００８８】周波数掃引手段13により周波数掃引されて光源装置10′から出射したレーザー光はビームスプリッタ23を透過して眼球部100 に入射せしめられ，一方，反射板26は，眼球100 に照射されたレーザー光の各反射面で反射された後方散乱光と，この後方散乱光よりも時間的に遅れて光源装置10′から出射されたレーザー光であって後方散乱光に対して僅かな周波数差を有しその反射面26a において反射した光（参照光）とを波面整合して干渉光を生じせしめる作用を果たすものである。」と記載されている。刊行物４の摘記事項（４−ア）に「あるビート周波数成分を検出する光周波数変調干渉とがある。・・・特長は，スキャンシステムが不要であり，一度に物体内部の３次元情報が得られる可能性があることである。」と記載されている。
　これらは，距離に応じて周波数が変わるので，参照光の光路長を可変とする必要がなく機械的移動のないものであるから，複数の深度から取得される情報を高速に取得する技術は周知技術であるといえる。
　そして，眼の測定においては，測定時間をできるだけ短くすることは，苦痛をできるだけ与えないために当然に要求される技術的課題である。
　さらに，上記周知技術での複数の深度からの情報の取得は，同時，または高速になされるので，目標対象物におけるモーション・アーチファクトに対しても，「同時に，又は高速度で取得される」といえる。
　してみると，引用発明に上記周知技術を適用し，該適用に当たって，取得する情報を「同時情報」と呼んで相違点１に記載の本願発明の構成とすることは，十分な動機付けがあり，阻害要因もないので，当業者が容易に想到するものといえる。
　
（２）相違点２についての検討
　１つのデータから別のデータを導出する手法において、データバンクのデータから１つのデータを別のデータと相関させて導出することは種々の技術分野で用いられている周知の技術であり、そして、当該相関に用いられるデータバンクをメモリに記憶させておくか、その他の手段で保持するかは、当業者が必要に応じて適宜選択し得る設計的事項であるから、引用発明においても、データバンクである「種々のグルコース濃度について測定したＤＰＳ値とグルコース濃度との相関関係図」をメモリに記憶させておくとして、上記相違点２に係る本願発明の発明特定事項を得ることは当業者が容易に想到し得たことである。
　
（３）そして，本願発明の作用効果は，引用発明及び周知技術から当業者が予測し得る範囲内のものにすぎない。
　
（４）したがって，本願発明は，引用発明及び周知技術に基づいて当業者が容易に発明をすることができたものであるというべきである。
　 
第４　むすび　
　以上のとおり，本願発明は，引用発明及び周知技術に基づいて当業者が容易に発明をすることができたものであるから，特許法第２９条第２項の規定により特許を受けることができない。　 
　したがって，その他の請求項について言及するまでもなく，本願出願は拒絶されるべきものである。　 
　
　よって，結論のとおり審決する。